(57)【要約】【課題】粉体化粧料容器において、適量の粉体化粧料を付着対象に付着させることができるようにするとともに、ユーザが簡単に使用することができるようにする。【解決手段】粉体化粧料容器１は、粉体化粧料Ｐを収容する容器本体１０と、この容器本体１０に固定され、粉体化粧料Ｐの流路となる貫通孔３１を有する枠部材３０と、この枠部材３０に固定され、粉体化粧料Ｐの流路となる貫通孔４１を有するパフ保持部材４０と、このパフ保持部材４０によって保持されるパフ５０と、を備える。【選択図】図１
0003211740.tif 000002
【実用新案登録請求の範囲】
【請求項１】
粉体化粧料を収容する容器本体と、
前記容器本体に固定され、前記粉体化粧料の流路となる貫通孔を有する枠部材と、
前記枠部材に固定され、前記粉体化粧料の流路となる貫通孔を有するパフ保持部材と、
前記パフ保持部材によって保持されるパフと、
を備えることを特徴とする粉体化粧料容器。
【請求項２】
前記容器本体の前記開口部を覆う剥離可能なフィルムを更に備えることを特徴とする請求項１記載の粉体化粧料容器。
【請求項３】
前記パフは、前記粉体化粧料の流路となる複数の貫通孔と、前記パフの先端に位置し、前記複数の貫通孔が開口する傾斜面と、を有し、
前記複数の貫通孔の前記傾斜面に開口する複数の開口部は、前記パフの厚みが薄い側よりも厚みが厚い側に偏って位置するように分散している、
ことを特徴とする請求項１又は２記載の粉体化粧料容器。
【請求項４】
前記パフを覆うパフカバーを更に備え、
前記パフ保持部材は、前記枠部材との間に前記パフカバーの周縁を収容する間隔を隔てた状態で、前記枠部材に対して接着されている、
ことを特徴とする請求項１から３のいずれか１項記載の粉体化粧料容器。
【考案の詳細な説明】
【技術分野】
【０００１】
本考案は、パフを備える粉体化粧料容器に関する。
【背景技術】
【０００２】
従来、頭髪が薄くなったことを隠すために、頭髪と同一色の粉体化粧料を、例えば振り掛けることで或いは塗り付けることで、人の頭部に付着させる手法が知られている。このように、粉体化粧料を人の頭部に付着させるための容器として、モータを用いて粉体化粧料の吐出量を調整する容器が提案されている（例えば、特許文献１参照）。
【先行技術文献】
【特許文献】
【０００３】
【特許文献１】実用新案登録第３１４９１５４号公報
【考案の概要】
【考案が解決しようとする課題】
【０００４】
上述のように粉体の吐出量を調整するためのモータが配置された容器は、適量を付着対象に付着させることができるが、構造が複雑になる。また、モータが配置されることで、電池交換や重量増加など、ユーザが簡単に使用することができる容器ではなかった。
【０００５】
なお、適量の粉体化粧料を付着対象に付着させることや、ユーザが簡単に粉体化粧料容器を使用できることは、人の頭部に付着される粉体化粧料に限らず、人の顔などに付着させるファンデーション等の他の粉体化粧料に関しても同様に求められる事項である。
【０００６】
本考案の目的は、適量の粉体化粧料を付着対象に付着させることができるとともに、ユーザが簡単に使用することができる粉体収容容器を提供することである。
【課題を解決するための手段】
【０００７】
１つの観点では、粉体化粧料容器は、粉体化粧料を収容する容器本体と、前記容器本体に固定され、前記粉体化粧料の流路となる貫通孔を有する枠部材と、前記枠部材に固定され、前記粉体化粧料の流路となる貫通孔を有するパフ保持部材と、前記パフ保持部材によって保持されるパフと、を備える。
【考案の効果】
【０００８】
本考案によれば、適量の粉体化粧料を付着対象に付着させることができるとともに、ユーザが簡単に粉体化粧料容器を使用することができる。
【図面の簡単な説明】
【０００９】
【図１】本考案の一実施の形態に係る粉体化粧料容器の、（ａ）分解斜視図、（ｂ）斜視図、及び（ｃ）キャップを取り外した状態の斜視図である。
【図２】本考案の一実施の形態の変形例に係る粉体化粧料容器を示す斜視図である。
【考案を実施するための形態】
【００１０】
以下、本考案の実施の形態に係る粉体化粧料容器について、図面を参照しながら説明する。
図１は、一実施の形態に係る粉体化粧料容器１の、（ａ）分解斜視図、（ｂ）斜視図、及び（ｃ）キャップを取り外した状態の斜視図である。
【００１１】
図１（ａ）に示すように、粉体化粧料容器１は、容器本体１０と、フィルム２０と、枠部材３０と、パフ保持部材４０と、パフ５０と、拡散シート６０と、パフカバー７０と、キャップ８０と、を備える。
【００１２】
容器本体１０は、例えば円筒形状を呈し、粉体化粧料Ｐ（図１（ａ）に上端を破線で図示）を収容する。なお、以下の粉体化粧料容器１の説明では、容器本体１０の開口部１０ａが上面に位置する場合を例に位置関係を説明する。また、一例ではあるが、粉体化粧料Ｐは、頭髪が薄くなったことを隠すために人の頭部に付着させるための、頭髪と同一色の粉体であるか、或いは、人の顔などに付着させるファンデーション等の粉体である。
【００１３】
容器本体１０の上部に突出する小径突出部１１は、容器本体１０の他の部分よりも外形及び内径が小さい。小径突出部１１の外周面には、後述する枠部材３０の内周面に形成された図示しないねじ山と螺合するねじ山１１ａが形成されている。
【００１４】
フィルム２０は、剥離可能に容器本体１０の開口部１０ａに設けられ、この開口部１０ａを覆う。フィルム２０は、例えばヒートシールにより開口部１０ａに貼り付けられている。フィルム２０は、容器本体１０に収容された粉体化粧料Ｐが使用開始前から後述するパフ５０に到達し、パフ５０が例えば黒くなるのを防ぐために製造段階で設けられる。そして、フィルム２０は、粉体化粧料容器１の使用開始前にユーザによって剥離される。なお、フィルム２０が設けられた状態で容器本体１０と枠部材３０とを固定可能にするためには、フィルム２０の周縁が上述のねじ山１１ａに達しない大きさであることが望ましい。なお、本実施の形態では、２つの部材の「固定」は、これら２つの部材間の直接的な固定を例に説明するが、他の部材を介して上記２つの部材が固定される間接的な固定であってもよい。
【００１５】
枠部材３０は、中央に形成された貫通孔３１と、下側に位置する大径部３２と、残りの上側に位置する小径部３３と、を有するリング形状を呈する。貫通孔３１は、粉体化粧料Ｐの流路となる。大径部３２は、小径部３３よりも外径及び内径が大きい。大径部３２の内周面には、上述の容器本体１０の小径突出部１１のねじ山１１ａに螺合する図示しないねじ山が形成されている。
【００１６】
パフ保持部材４０は、中央に形成された貫通孔４１と、下側に位置する小径部４２と、残りの上側に位置する大径部４３と、を有するリング形状を呈する。貫通孔４１は、枠部材３０の貫通孔３１と同様に、粉体化粧料Ｐの流路となる。小径部４２は、大径部４３よりも外径及び内径が小さい。小径部４２の外周面は、枠部材３０の貫通孔３１の内周面に対し、接着剤Ａにより接着されている。なお、パフ保持部材４０は、大径部４３と枠部材３０（小径部３３）との間に後述するパフカバー７０の周縁を収容する間隔を隔てた状態で枠部材３０に対して接着されている。このように、小径部４２の外周面の全てに接着剤Ａが塗布されているわけではなく、小径部４２の外周面のうち下側の一部に接着剤Ａが塗布されている。大径部４３は、例えば、大径部４３の内周面、又は小径部４２との間の段差において、パフ５０の下部に固定される。これにより、パフ保持部材４０は、パフ５０を保持する。
【００１７】
パフ５０は、粉体化粧料Ｐの流路となる複数の貫通孔５１，５２と、パフ５０の先端に位置し、複数の貫通孔５１，５２が開口する傾斜面５３と、を有する。複数の貫通孔５１，５２は、第１の開口部５１ａにおいて傾斜面５３に開口する第１の貫通孔５１と、第１の開口部５１ａよりも開口面積（及び流路断面積）が小さい複数の第２の開口部５２ａにおいて傾斜面５３に開口する複数の第２の貫通孔５２と、を含む。第１の開口部５１ａは、例えば、傾斜面５３の中心に位置する。なお、第１の開口部５１ａの開口面積と第２の開口部５２ａの開口面積とが同一であってもよい。
【００１８】
複数の第２の開口部５２ａは、第１の開口部５１ａの周囲において、パフ５０の厚みが薄い側よりも厚みが厚い側に偏って位置するように分散している。図１（ａ）の例では、第２の開口部５２ａは、例えば５つ形成され、第１の開口部５１ａを中心とした正六角形のうちパフ５０の厚みが薄い側の頂点を除く５つの頂点に位置するように配置されている。なお、図１（ａ）の例はあくまで一例にすぎず、複数の第２の開口部５２ａは、分散したそれぞれの位置の中心（重心）の位置が、パフ５０の厚みが薄い側よりも厚みが厚い側に位置していれば、複数の第２の開口部５２ａは、パフ５０の厚みが薄い側よりも厚みが厚い側に偏って位置するように分散しているといえる。
【００１９】
拡散シート６０は、パフ５０の上部、すなわち傾斜面５３上に載置され、パフ５０の第１の貫通孔５１及び第２の貫通孔５２から吐出される粉体化粧料Ｐを傾斜面５３上で拡散させる。拡散シート６０は、例えば、細かい網目を有する。
【００２０】
パフカバー７０は、パフ５０及び拡散シート６０を例えば包み込むように覆う。パフカバー７０の周縁は、上述のように、パフ保持部材４０の大径部４３と枠部材３０の小径部３３との間に位置する。
【００２１】
図１（ｂ）及び（ｃ）に示すように、キャップ８０は、パフカバー７０を覆うために、例えば、下端の内周面が小径部３３の外周面に嵌合するように配置される。キャップ８０の上面にはミラー８１が設けられている。
【００２２】
図２は、本実施の形態の変形例に係る粉体化粧料容器２を示す斜視図である。
図２に示す粉体化粧料容器２は、図１に示す粉体化粧料容器１に加えて収容箱９０を更に備える。また、収容箱９０は、図１に示す粉体化粧料容器１のうち容器本体１０及びフィルム２０と、その他の部分とで分離させた状態で収容する。これにより、ユーザは、収容箱９０を開放し、フィルム２０を剥離させた後、容器本体１０と枠部材３０（及びその他の部分）とを固定することで、上述の粉体化粧料容器１の使用を開始することができる。
【００２３】
以上説明した本実施の形態では、粉体化粧料容器１は、粉体化粧料Ｐを収容する容器本体１０と、この容器本体１０に固定され、粉体化粧料Ｐの流路となる貫通孔３１を有する枠部材３０と、この枠部材３０に固定され、粉体化粧料Ｐの流路となる貫通孔４１を有するパフ保持部材４０と、このパフ保持部材４０によって保持されるパフ５０と、を備える。
【００２４】
そのため、従来のように、粉体化粧料容器にモータを用いた構成と比較して、構造を簡素にすることで、ひいては、電池交換や重量増加などに伴うユーザの負担を軽減させることができる。更には、構造を簡素にしながら、パフ５０を用いることで、人の頭部などの付着対象に適量の粉体化粧料Ｐを付着させることができる。よって、本実施の形態によれば、適量の粉体化粧料Ｐを付着対象に付着させることができるとともに、ユーザが簡単に粉体化粧料容器１を使用することができる。
【００２５】
また、本実施の形態では、フィルム２０は、容器本体１０の開口部１０ａを覆う剥離可能なフィルムである。そのため、フィルム２０に代えて、容器本体１０の開口部１０ａを覆う中蓋が配置されている構成と比較して、粉体化粧料容器１の使用開始時にユーザによってフィルム２０が取り外される際に、容器本体１０に収容された粉体化粧料Ｐが飛び散ることを、中蓋を用いる場合よりも防止することができる。更には、粉体化粧料容器１が中蓋ではなくフィルム２０を備えることで、粉体化粧料容器１を更に簡素な構造にすることができる。
【００２６】
また、本実施の形態では、パフ５０は、粉体化粧料Ｐの流路となる複数の貫通孔５１，５２と、パフ５０の先端に位置し、複数の貫通孔５１，５２が開口する傾斜面５３と、を有し、複数の貫通孔５１，５２の傾斜面５３に開口する複数の開口部５１ａ，５２ａは、パフ５０の厚みが薄い側よりも厚みが厚い側に偏って位置するように分散している。ところで、粉体化粧料Ｐの付着を容易にするために、本実施の形態のようにパフ５０が先端に傾斜面５３を有している場合、パフ５０の厚みが厚い側が付着対象に接触しやすい一方、パフ５０の厚みが薄い側は付着対象との間に空間が生じた状態となりやすく、この空間から粉体化粧料Ｐが飛び散ることがある。それに対し、本実施の形態では、上述のように、複数の開口部５１ａ，５２ａが、パフ５０の厚みが薄い側よりも厚みが厚い側に偏って位置するように分散しているため、上記の空間からの粉体化粧料Ｐの飛び散りを抑えることができる。更には、複数の貫通孔５１，５２は、第１の開口部５１ａにおいて傾斜面５３に開口する第１の貫通孔５１と、第１の開口部５１ａよりも開口面積が小さい複数の第２の開口部５２ａにおいて傾斜面５３に開口する複数の第２の貫通孔５２と、を含み、複数の第２の開口部５２ａは、第１の開口部５１ａの周囲に位置する。そのため、第２の開口部５２ａに囲まれた大径の第１の開口部５１ａから十分な粉体化粧料Ｐを吐出させることができる。これにより、短時間で所望の量の粉体化粧料Ｐを付着対象に付着させることができるため、より一層、ユーザが簡単に粉体化粧料容器１を使用することもできる。
【００２７】
また、本実施の形態では、粉体化粧料容器１は、パフ５０を覆うパフカバー７０を更に備え、パフ保持部材４０は、枠部材３０との間にパフカバー７０の周縁を収容する間隔を隔てた状態で、枠部材３０に対して接着されている。そのため、枠部材３０とパフ保持部材４０とを例えばねじの螺合により固定している場合と比較して、粉体化粧料容器１を振りながら粉体化粧料Ｐを付着対象に付着させることに伴って枠部材３０とパフ保持部材４０との間から粉体化粧料Ｐが漏れるのを確実に防止することができるとともに、一体成形が困難な枠部材３０とパフ保持部材４０とを確実に固定し、パフ保持部材４０の脱落、ひいてはパフ５０、拡散シート６０、パフカバー７０等の脱落を防止することができる。
【符号の説明】
【００２８】
１，２      粉体化粧料容器
１０      容器本体
１０ａ      開口部
１１      小径突出部
１１ａ      ねじ山
１１      貫通孔
２０      フィルム
３０      枠部材
３１      貫通孔
３２      大径部
３３      小径部
４０      パフ保持部材
４１      貫通孔
４２      小径部
４３      大径部
５０      パフ
５１      第１の貫通孔
５１ａ      第１の開口部
５２      第２の貫通孔
５２ａ      第２の開口部
５３      傾斜面
６０      拡散シート
７０      パフカバー
８０      キャップ
８１      ミラー
９０      収容箱
Ａ      接着剤
Ｐ      粉体化粧料
【図１】
0003211740.tif 000003
【図２】
0003211740.tif 000004
【手続補正書】
【提出日】平成29年6月7日(2017.6.7)
【手続補正１】
【補正対象書類名】実用新案登録請求の範囲
【補正対象項目名】全文
【補正方法】変更
【補正の内容】
【実用新案登録請求の範囲】
【請求項１】
粉体化粧料を収容する容器本体と、
前記容器本体に固定され、前記粉体化粧料の流路となる貫通孔を有する枠部材と、
前記枠部材に固定され、前記粉体化粧料の流路となる貫通孔を有するパフ保持部材と、
前記パフ保持部材によって保持されるパフと、
を備えることを特徴とする粉体化粧料容器。
【請求項２】
前記容器本体の開口部を覆う剥離可能なフィルムを更に備えることを特徴とする請求項１記載の粉体化粧料容器。
【請求項３】
前記パフは、前記粉体化粧料の流路となる複数の貫通孔と、前記パフの先端に位置し、前記複数の貫通孔が開口する傾斜面と、を有し、
前記複数の貫通孔の前記傾斜面に開口する複数の開口部は、前記パフの厚みが薄い側よりも厚みが厚い側に偏って位置するように分散している、
ことを特徴とする請求項１又は２記載の粉体化粧料容器。
【請求項４】
前記パフを覆うパフカバーを更に備え、
前記パフ保持部材は、前記枠部材との間に前記パフカバーの周縁を収容する間隔を隔てた状態で、前記枠部材に対して接着されている、
ことを特徴とする請求項１から３のいずれか１項記載の粉体化粧料容器。